(57)【特許請求の範囲】
【請求項１】
平板状の加湿エレメント（１）をリング状のケース（２）内に嵌合させて組み立てた加湿ロータであって、
上記ケース（２，３２）は、筒部（２１，４１）と、この筒部（２１，４１）の端部から内方に張り出した鍔部（２２，４２）とを有し、
上記筒部（２１，４１）の内周に、上記鍔部（２２，４２）に連なるリブ（８,３８）が形成されていて、
上記リブ（８,３８）を上記加湿エレメント（１）に喰い込ませることにより、上記加湿エレメント（１）を上記ケース（２）に固定していることを特徴とする加湿ロータ。
【請求項２】
請求項１に記載の加湿ロータにおいて、
上記リブ（８,３８）近傍に接着剤（９）を設けて、上記加湿エレメント（１）と上記リブ（８,３８）とを固定していることを特徴とする加湿ロータ。
【請求項３】
請求項１または２に記載の加湿ロータにおいて、
上記リブ（３８）を少なくとも２つ有していることを特徴とする加湿ロータ。
【請求項４】
請求項３に記載の加湿ロータにおいて、
上記リブ（３８）を少なくとも２つ互いに近接させて設けて、上記リブ（３８）間に接着剤（９）を充填していることを特徴とする加湿ロータ。
【発明の詳細な説明】
【０００１】
【発明の属する技術分野】
本発明は加湿ロータに関する。
【０００２】
【従来の技術】
従来、加湿ロータとしては、図６に示すものがある。この加湿ロータは、以下のようにして組み立てられる。
【０００３】
まず、吸湿性を有するリング状の加湿エレメント６１を、リング状の第１ケース６２の内側に嵌合させる。そして、上記加湿エレメント６１の中央にある穴６１ａに、ハブである第２ケース６３を嵌合して、この第２ケース６３の鍔部と桟状の第３ケース６５で加湿エレメント６１を挟んで、第２ケース６３と第３ケース６５とをネジ６６，６６で固定している。
【０００４】
【発明が解決しようとする課題】
しかしながら、上記従来の加湿ロータでは、加湿エレメント６１,第１ケース６２の他に、第２，第３ケース６３，６５の２つのケースと２つのネジ６６,６６とを必要とするため、部品点数が計６個と多くなって、加工、組み立てコストが高くなるという問題があった。
【０００５】
また、上記加湿エレメント６１を押さえている桟状の第３ケース６５のため、加湿エレメント６１を通る空気の通風抵抗が大きくなる。その結果、送風量が少なくなり、加湿性能が低下するという問題があった。
【０００６】
そこで、この発明の課題は、部品点数が少なくて安価で、しかも、加湿性能を向上できる加湿ロータを提供することにある。
【０００７】
【課題を解決するための手段】
上記目的を達成するため、請求項１の発明の加湿ロータは、平板状の加湿エレメント（１）をリング状のケース（２）内に嵌合させて組み立てた加湿ロータであって、上記ケース（２，３２）は、筒部（２１，４１）と、この筒部（２１，４１）の端部から内方に張り出した鍔部（２２，４２）とを有し、上記筒部（２１，４１）の内周に、上記鍔部（２２，４２）に連なるリブ（８,３８）が形成されていて、上記リブ（８,３８）を上記加湿エレメント（１）に喰い込ませることにより、上記加湿エレメント（１）を上記ケース（２）に固定していることを特徴としている。
【０００８】
上記請求項１の発明の加湿ロータは、上記加湿エレメントとケースとからなるので、部品点数が２個と少なく、加工、組み立てコストを低減することができる。
【０００９】
また、上記ケースのリブを加湿エレメントに喰い込ませて、加湿エレメントをケースに固定しているので、加湿エレメントとケースとを簡単かつ確実に固定できる。
【００１０】
また、請求項２の発明の加湿ロータは、請求項１の加湿ロータにおいて、上記リブ近傍に接着剤を設けて、上記加湿エレメントと上記リブとを固定していることを特徴としている。
【００１１】
上記請求項２の発明の加湿ロータによれば、上記リブを加湿エレメントに喰い込ませ、さらに、リブ近傍に接着剤を設けて、加湿エレメントとリブとを固定しているから、加湿エレメントとケースとをより確実に固定することができる。
【００１２】
また、請求項３の発明の加湿ロータは、請求項１または２の加湿ロータにおいて、上記リブを少なくとも２つ有していることを特徴としている。
【００１３】
上記請求項３の発明の加湿ロータによれば、上記リブが少なくとも２つ形成されているから、加湿エレメントとケースとを安定かつ確実に固定することができる。
【００１４】
また、請求項４の発明の加湿ロータは、請求項３の加湿ロータにおいて、上記リブを少なくとも２つ互いに近接させて設けて、上記リブ間に接着剤を充填していることを特徴としている。
【００１５】
上記請求項４の発明の加湿ロータによれば、上記リブ間に接着剤を設けているから、接着剤がリブで保持され、接着剤の液ダレを防ぐことができる。
【００１６】
【発明の実施の形態】
以下、本発明の加湿ロータを図示の実施の形態により詳細に説明する。
【００１７】
図１に、本発明の実施の一形態の加湿ロータの分解斜視図を示している。この加湿ロータは、中央に穴１ａを有するリング状の加湿エレメント１とリング状のケース２とからなる。上記加湿エレメント１は、シリカゲル，ゼオライト，アルミナ等の吸着材を例えばハニカム状または多孔多粒状に成形してなる。一方、上記ケース２は、筒部２１と、この筒部２１の端部から内方に張り出した鍔部２２とを有している。図２に示すように、上記ケース２の鍔部２２が加湿エレメント１の端面の一部に当接して、加湿エレメント１をケース２で保持する。また、上記筒部２１の外周には上記ケース２をドリブンギアとして回転駆動させるための歯７を形成し、筒部２１の内周にはリブ８を形成していて、リブ８は加湿エレメント１に喰い込んでおり、そのリブ８近傍に接着剤９を設けている。なお、上記歯７は、図１では図示していない。
【００１８】
上記構成の加湿ロータによれば、組み立てる場合、加湿エレメント１をケース２内に嵌合させてリブ８を加湿エレメント１に喰い込ませ、さらに、リブ８近傍に接着剤９を設けて、加湿エレメント１をケース２に固定する。このように、上記加湿ロータは加湿エレメント１とケース２とからなるので、部品点数が２個となって、図４の従来例の６個と比べて部品点数が著しく少なくなる。したがって、コストダウンとコンパクト化を達成できる。
【００１９】
また、上記ケース２のリブ８を加湿エレメント１に喰い込ませて、加湿エレメント１をケース２に固定するので、加湿エレメント１とケース２とを簡単かつ確実に固定できる。その上、上記リブ８近傍に接着剤９を設けているので、加湿エレメント１とケース２との固定力をより強固にすることができる。
【００２０】
また、図４の従来例とは違って、加湿エレメント１を押さえるための桟状のケースを使用していないので、通風抵抗が少なくできる。その結果、上記通風抵抗の減少に伴って送風量を増大できて、加湿性能を向上できる
上記実施の形態では、リング状の加湿エレメント１を使用したが、円板状の加湿エレメントを使用してもよい。この円板状の加湿エレメントを使用をした場合、加湿エレメントは円板状をしていて中央に穴がないので、加湿に使用できる面積が増大し、加湿性能がより向上する。
【００２１】
また、上記リブ８の数は特に限定しなかったが、リブ８の数は少なくとも２つであればよい。上記リブ８が少なくとも２つあると、加湿エレメント１を安定かつ確実に固定できる。
【００２２】
また、上記ケース２の代わりに、図３に示すケース３２を用いてもよい。上記ケース３２は、筒部４１と、この筒部４１の端部から半径方向内側に向かって延びる鍔部４２とを有している。また、上記筒部４１の外周には上記ケース３２をドリブンギアとして回転駆動させるための歯（図示せず）を設けている。一方、上記筒部４１の内周には２つのリブ３８,３８を近接させて設けていて、リブ３８,３８間に接着剤９を充填している。このように、上記リブ３８,３８間に接着剤９を充填しているから、リブ３８,３８で接着剤９が保持され、接着剤９の液ダレを阻止できる。
【００２３】
図３に示す実施形態において、上記リブ３８,３８のような対を、ケースの筒部の内周に複数個設けてもいいのは言うまでない。
【００２４】
また、互いに近接させて設けるリブの数は少なくとも２個であればよく、例えば、ケースの筒部の内周に３個のリブを互いに近接させて設けてもよい。
【００２５】
【発明の効果】
以上より明らかなように、請求項１の発明の加湿ロータは、加湿エレメントとケースとからなるので、部品点数が少なく、コストを低減できる。
【００２６】
また、上記ケースのリブを加湿エレメントに喰い込ませて、加湿エレメントをケースに固定しているので、加湿エレメントとケースとを簡単かつ確実に固定できる。
【００２７】
請求項２の発明の加湿ロータは、上記リブを加湿エレメントに喰い込ませ、さらに、リブ近傍に接着剤を設けて、加湿エレメントとリブとを固定しているから、加湿エレメントとケースとをより確実に固定することができる。
【００２８】
請求項３の発明の加湿ロータは、上記リブが少なくとも２つ形成されているから、加湿エレメントとケースとを安定かつ確実に固定することができる。
【００２９】
請求項４の発明の加湿ロータは、上記リブを少なくとも２つ互いに近接させて設けて、リブ間に接着剤を設けているから、接着剤がリブで保持され、接着剤の液ダレを阻止できる。
【図面の簡単な説明】
【図１】図１は本発明の実施の一形態の加湿ロータの分解斜視図である。
【図２】図２は上記加湿ロータの要部の断面図である。
【図３】図３は本発明の他の実施の形態の加湿ロータの平面図である。
【図４】図４は従来の加湿ロータの分解斜視図である。
【符号の説明】
１        加湿エレメント
２        ケース
８,３８   リブ
【図１】
0003601429.tif 000002
【図２】
0003601429.tif 000003
【図３】
0003601429.tif 000004
【図４】
0003601429.tif 000005